(57)【要約】  本発明は、金属ケースと、保持架台（５）と、保持架台（５）の頂部に設けられるＮＦＣアンテナ（８０）とを備えるＮＦＣ腕時計を開示している。前記保持架台（５）は金属ケース底部に配置され、前記ＮＦＣアンテナ（８０）が金属ケースと保持架台（５）との間に挟まれて外部に露出する。ＮＦＣ腕時計は、更に保持架台（５）の内部に設けられる、ＮＦＣアンテナ（８０）と電気的に接続されるＰＣＢ板と、保持架台（５）の底部に設けられる、ＰＣＢ板に電力を供給するための電池（１０）とを備える。本発明に係るＮＦＣ腕時計は、構造が簡単であり、且つ実用性に優れる点を有する。【選択図】図１
2019518371.tif 000002
【特許請求の範囲】
【請求項１】
金属ケースと、保持架台（５）と、保持架台（５）の頂部に設けられるＮＦＣアンテナ（８０）とを備る、ＮＦＣ腕時計であって、
前記保持架台（５）は、金属ケースの底部に取付けられ、ＮＦＣアンテナ（８０）が金属ケースと保持架台（５）との間に挟まれて外部に露出し、
前記ＮＦＣ腕時計は、
保持架台（５）の内部に設けられる、ＮＦＣアンテナ（８０）と電気的に接続されるＰＣＢ板と、
保持架台（５）の底部に設けられる、ＰＣＢ板に電力を供給するための電池（１０）と、を更に備える、
ことを特徴とするＮＦＣ腕時計。
【請求項２】
ＰＣＢ板は、第１制御回路（２０）、第２制御回路（３０）、第１低周波アンテナ（４０）、ＮＦＣチップ（５０）、プロセッサー（６０）及び第３制御回路（７０）を備え、
電池（１０）は、プロセッサー（６０）と電気的に接続され、且つ第１制御回路（２０）を介して、第１低周波アンテナ（４０）と電気的に接続され、
第１低周波アンテナ（４０）は、第１制御回路（２０）と第２制御回路（３０）とのそれぞれを介して、プロセッサー（６０）と電気的に接続され、
プロセッサー（６０）は、第３制御回路（７０）を介して、ＮＦＣチップ（５０）と電気的に接続され、
ＮＦＣアンテナ（８０）とＮＦＣチップ（５０）とが電気的に接続され、
ＮＦＣ腕時計に対応するカードリーダーに、第１低周波アンテナ（４０）に対応する第２低周波アンテナが設けられ、
第１低周波アンテナ（４０）と第２低周波アンテナとの間の距離が予め設定された距離より小さい場合、第１低周波アンテナ（４０）は、第１制御回路（２０）を介して、プロセッサー（６０）に第１制御信号を送信し、プロセッサー（６０）は第１制御信号に従って、第３制御回路（７０）に第２制御信号を送信して、ＮＦＣチップ（５０）の動作をオンになるように制御するとともに、第２制御回路（３０）に第３制御信号を送信して、第１低周波アンテナ（４０）の放電経路をオフにするようにし、
ＮＦＣチップ（５０）の動作が完了すると、ＮＦＣチップ（５０）は、第３制御回路（７０）を介して、プロセッサー（６０）に第４制御信号を送信し、プロセッサー（６０）は第４制御信号に従って、第２制御回路（３０）に第５制御信号を送信して、第１低周波アンテナ（４０）の放電経路をオンにする、
ことを特徴とする請求項１に記載のＮＦＣ腕時計。
【請求項３】
第１低周波アンテナ（４０）は直径０．１５ｍｍの銅線を巻き付けて構成される、ことを特徴とする請求項２に記載のＮＦＣ腕時計。
【請求項４】
金属ケースは、係着して開閉可能な金属枠体（１）と金属裏蓋（２）とを備え、
保持架台（５）と金属ケースとが囲んで収容空間を形成し、
ＮＦＣ腕時計は、収容空間内に配置された表示部（３）と時計ムーブメント（４）とをさらに備え、
第１低周波アンテナ（４０）が表示部（３）とＰＣＢ板との間に配置され、
金属裏蓋（２）の周りにフェライト製部材が貼り付けられる、
ことを特徴とする請求項１に記載のＮＦＣ腕時計。
【請求項５】
ＮＦＣアンテナ（８０）は、フェライト材料で作製される、
ことを特徴とする請求項４に記載のＮＦＣ腕時計。
【請求項６】
プロセッサー（６０）がＭＫＬ０３Ｚ８ＶＦＧ４型のＣＰＵである、
ことを特徴とする請求項２に記載のＮＦＣ腕時計。
【請求項７】
ＮＦＣチップ（５０）にアンテナ増幅器が搭載され、
ＮＦＣアンテナ（８０）の第１端は、順次第１抵抗器（Ｒ１）と第１共振コンデンサ（Ｃ１）とを介して、ＮＦＣチップ（５０）の第１端に接続され、
ＮＦＣアンテナ（８０）の第２端は、順次第２抵抗器（Ｒ２）と第２共振コンデンサ（Ｃ２）とを介して、ＮＦＣチップ（５０）の第２端に接続され、
ＮＦＣアンテナ（８０）の第１端は、第１抵抗器（Ｒ１）に接続した後に、順次第３共振コンデンサ（Ｃ３）と第２抵抗器（Ｒ２）とを介して、ＮＦＣアンテナ（８０）の第２端に接続され、
ＮＦＣアンテナ（８０）の第１端は、第１抵抗器（Ｒ１）に接続した後に、順次第４共振コンデンサ（Ｃ４）と第２抵抗器（Ｒ２）とを介して、ＮＦＣアンテナ（８０）の第２端に接続される、
ことを特徴とする請求項２に記載のＮＦＣ腕時計。
【発明の詳細な説明】
【技術分野】
【０００１】
本発明は、着用可能な装置の分野に関し、特にＮＦＣ腕時計に関する。
【背景技術】
【０００２】
近距離通信（Ｎｅａｒ  Ｆｉｅｌｄ  Ｃｏｍｍｕｎｉｃａｔｉｏｎ、以下「ＮＦＣ」と呼ぶ）は、高周波数帯を用いる短距離無線通信技術という、周波数１３．５６ＭＨｚの場合には２０センチの距離内で通信できる。ＮＦＣは、便利、安全、迅速な自動通信が可能な様々なデバイスを提供することができるため、アクセス制御、公共交通機関、モバイル決済、着用可能な通信デバイスなどの応用に使われている。
【０００３】
近年、市販では、ＮＦＣ決済機能を備えた腕時計が多く出回っているが、多くのＮＦＣ腕時計が金属材料で作製されている。金属の渦電流がアンテナに影響を与えるため、ＮＦＣ時計は非常に近い距離でしか通信できない。ＥＭＶ仕様の要求を満たすためには、ＮＦＣ時計のサイズを大きくする必要があるが、ＮＦＣ時計の外観には影響を与える。
【０００４】
なお、ＮＦＣ腕時計のサイズを小さくする場合には、通常、より小さい電池が使用される。電池が小さいほど容量が制限され、その結果、ＮＦＣ電池の持久力が悪くなってしまう。また、ＮＦＣ時計は、いつでも外部カードリーダーの信号を検知する必要があるため、ＮＦＣ機能は常にオンであるので、ＮＦＣ腕時計の電力消費が急速に失われ、電池寿命がさらに低下することがある。
【発明の概要】
【発明が解決しようとする課題】
【０００５】
従来のＮＦＣ腕時計において、金属材料による通信距離が短く、且つ持久力に弱いという問題を解決するために、本発明は、金属材料で作られても通信機能に影響を与えず、且つ持久力の良い、ＮＦＣ腕時計を提供する。
【課題を解決するための手段】
【０００６】
本発明は、以下の技術的な内容を提示する。
【０００７】
本発明は、金属ケース、保持架台及び保持架台の頂部に配置されるＮＦＣアンテナを備えるＮＦＣ腕時計を提供し、保持架台が金属ケースの底部に取り付けられ、ＮＦＣアンテナが金属ケースと保持架台との間に挟まれて外部に露出し、ＮＦＣ腕時計は、更に保持架台の内部に配置される、ＮＦＣアンテナと電気的に接続されるＰＣＢ板と、保持架台の底部に配置され、ＰＣＢ板に電力を供給する電池とを備える。
【０００８】
上述した本発明のＮＦＣ腕時計において、ＰＣＢ板は第１制御回路、第２制御回路、第１低周波アンテナ、ＮＦＣチップ、プロセッサー及び第３制御回路を備える。電池は、プロセッサーと電気的に接続され、且つ第１制御回路を介して第１低周波アンテナと電気的に接続される。第１低周波アンテナは、第１制御回路と第２制御回路とのそれぞれを介してプロセッサーと電気的に接続され、プロセッサーは、第３制御回路を介してＮＦＣチップと電気的に接続される。ＮＦＣアンテナはＮＦＣチップと電気的に接続される。
【０００９】
ＮＦＣ腕時計に対応するカードリーダーでは、第１低周波アンテナと対応する第２低周波アンテナが設けられ、第１低周波アンテナと第２低周波アンテナとの間の距離が予め設定された距離より小さい場合、第１低周波アンテナは第１制御回路を通じてプロセッサーに第１制御信号を送信し、プロセッサーは第１制御信号に従って、第３制御回路に第２制御信号を送信してＮＦＣチップをオンになるように制御するとともに、第２制御回路に第３制御信号を送信して第１低周波アンテナの放電経路をオフにする。ＮＦＣチップの動作が完了すると、ＮＦＣチップは第３制御回路を通じてプロセッサーに第４制御信号を送信し、プロセッサーは第４制御信号に従って第２制御回路に第５制御信号を送信して、第１低周波アンテナの放電経路をオンにする。
【００１０】
上述した本発明のＮＦＣ腕時計において、第１低周波アンテナは、直径０．１５ｍｍの銅線を巻き付けて構成されている。
【００１１】
上述した本発明のＮＦＣ腕時計において、金属ケースは係着して開閉可能な金属枠体と金属裏蓋とを備える。保持架台と金属ケースとが囲んで収容空間を形成する。ＮＦＣ腕時計は、収容空間内に配置される表示部と時計ムーブメントを更に備える。第１低周波アンテナが表示部とＰＣＢ板との間に配置され、金属裏蓋の周りにフェライト製部材が貼り付けられる。
【００１２】
上述した本発明のＮＦＣ腕時計において、ＮＦＣアンテナがフェライト材料で作製されている。
【００１３】
上述した本発明のＮＦＣ腕時計において、プロセッサーはＭＫＬ０３Ｚ８ＶＦＧ４型のＣＰＵ（Ｃｅｎｔｒａｌ  Ｐｒｏｃｅｓｓｉｎｇ  Ｕｎｉｔ）である。
【００１４】
上述した本発明のＮＦＣ腕時計において、ＮＦＣチップはアンテナ増幅器を備え、ＮＦＣアンテナの第１端が順次第１抵抗器と第１共振コンデンサとを介してＮＦＣチップの第１端に接続され、ＮＦＣアンテナの第２端が順次第２抵抗器と第２共振コンデンサとを介してＮＦＣチップの第２端に接続される。ＮＦＣアンテナの第１端が、第１抵抗器と接続された後に、順次第３共振コンデンサと第２抵抗器とを介してＮＦＣアンテナの第２端に接続される。ＮＦＣアンテナの第１端が、第１抵抗器と接続された後に、順次第４共振コンデンサと第２抵抗器とを介してＮＦＣアンテナの第２端に接続される。
【発明の効果】
【００１５】
本発明に係るＮＦＣ腕時計は、ＮＦＣアンテナが金属ケースと保持架台との間に挟まれて外部に露出させる技術的な手段を採用することによって、ＮＦＣアンテナへの干渉を構造的に低減させ、アンテナの受送信を最適化させた。本発明に係るＮＦＣ腕時計は、第１低周波アンテナとカードリーダーの第２低周波アンテナとの間の距離が予め設定された距離よりも小さい場合に、第１低周波アンテナが第１制御回路を介してプロセッサーに第１制御信号を送信することによって、プロセッサーが第３制御回路を通じてＮＦＣチップをオンになるように制御するとともに、第２制御回路を通じて第１低周波アンテナの放電経路をオフにする。これによって、ＮＦＣ腕時計のＮＦＣ機能は常にオンに設定される必要がなく、ＮＦＣ腕時計とカードリーダーとの間の距離が予め設定された距離より小さい場合に動作されるようになる。ＮＦＣ機能が常に作動していることによるエネルギーの損耗を効果的に低減することができ、且つ第１低周波アンテナによって消費される電力が少なくなり、ＮＦＣ腕時計の持久力を効果的に向上させることができる。さらに、ＮＦＣチップが作動し始めると、第１低周波アンテナの作動が停止され、ＮＦＣ腕時計とカードリーダーとの間のＮＦＣ通信への干渉を低減することができ、ＮＦＣ腕時計のＮＦＣ通信品質を確保することができる。本発明に係るＮＦＣ腕時計は、構造が簡単であり、実用性に優れる利点を有する。
【図面の簡単な説明】
【００１６】
以下、図面及び実施例を参照しながら本発明の詳細を説明する。図面において、
【図１】本発明の第１実施例に係るＮＦＣ腕時計の構造を示す図である。
【図２】本発明の第１実施例に係るＮＦＣ腕時計の機能を示すダイアグラムである。
【図３】本発明の第２実施例に係るＮＦＣ腕時計の機能を示すダイアグラムである。
【図４】図３に示されるＮＦＣ腕時計のアンテナの電子回路図である。
【発明を実施するための形態】
【００１７】
本発明の目的、技術的解決策及び利点をより明確にするために、添付の図面を参照しながら、以下、本発明の実施形態を詳細に説明する。
【００１８】
［第１実施例］
図１及び図２に示すように、ＮＦＣ腕時計は、金属ケース、保持架台５及び保持架台５の頂部に配置されたＮＦＣアンテナ８０を備える。保持架台５が金属ケース底部に取付けられ、ＮＦＣアンテナ８０が金属ケースと保持架台５との間に挟まれて外部に露出される。ＮＦＣ腕時計は、保持架台５内部に配置される、ＮＦＣアンテナ８０と電気的に接続されるＰＣＢ板（プリント回路基板、Ｐｒｉｎｔｅｄ  Ｃｉｒｃｕｉｔ  Ｂｏａｒｄ）（図示せず）、及び保持架台５の底部に配置される、ＰＣＢ板に電力を供給する電池１０をさらに備える。本発明によれば、ＮＦＣアンテナ８０が金属ケースと保持架台５との間に挟まれて配置され、且つ外部に露出することで、金属ケースにおけるＮＦＣアンテナ８０への渦電流効果を低減することができる。また、ＰＣＢ板と電池１０とが保持架台５によってＮＦＣアンテナ８０と分離され、ＮＦＣアンテナ８０への干渉を構造的に低減し、アンテナの受送信が最適化された。
さらに、図１に示すように、金属ケースは係着して開閉可能な金属枠体１と金属裏蓋２とを備え、保持架台５と金属ケースとが囲んで収容空間を形成する。ＮＦＣ腕時計は、収容空間内に配置された表示部３と時計ムーブメント４とをさらに備える。金属裏蓋２の周りにフェライト製部材が貼り付けられる。
【００１９】
電池１０は、リチウム電池であってもよく、乾電池でもよい。
【００２０】
さらに、図２に示すように、ＰＣＢ板は第１制御回路２０、第２制御回路３０、第１低周波アンテナ４０、ＮＦＣチップ５０、プロセッサー６０及び第３制御回路７０を備える。電池１０が、プロセッサー６０と電気的に接続され、且つ第１制御回路２０を介して第１低周波アンテナ４０と電気的に接続される。第１低周波アンテナ４０が、第１制御回路２０と第２制御回路３０とのそれぞれを介してプロセッサー６０と電気的に接続され、プロセッサー６０が第３制御回路７０を介してＮＦＣチップ５０と電気的に接続される。ＮＦＣアンテナ８０とＮＦＣチップ５０とが電気的に接続され、ＮＦＣアンテナ８０を介してＮＦＣチップ５０の送信効率を増大させることができ、ＮＦＣ腕時計の無線通信距離を拡大することができる。
【００２１】
ＮＦＣ腕時計に対応するカードリーダーに、第１低周波アンテナ４０に対応する第２低周波アンテナが配置され、第１低周波アンテナ４０と第２低周波アンテナとの間の距離が予め設定された距離より小さい（当該予め設定された距離が通常ＮＦＣ腕時計のＮＦＣ通信距離よりも大きくない、例えば、２０  ｃｍ又は２０  ｃｍより小さい）場合に、第１低周波アンテナ４０が第１制御回路２０を介してプロセッサー６０に第１制御信号を送信し、プロセッサー６０が第１制御信号に従って、第３制御回路７０に第２制御信号を送信して、ＮＦＣチップ５０がオンになるように制御するとともに、第２制御回路３０に第３制御信号を送信して、第１低周波アンテナ４０の放電経路をオフにする。ＮＦＣチップ５０の動作が完了すると、ＮＦＣチップ５０は第３制御回路７０を介してプロセッサー６０に第４制御信号を送信し、プロセッサー６０が第４制御信号従って、第２制御回路３０に第５制御信号を送信し、第１低周波アンテナ４０の放電経路をオンにする。
【００２２】
本実施例において、ＮＦＣ腕時計に配置される第１低周波アンテナ４０とカードリーダーに配置された第２低周波アンテナとが互いに対応して使用され、例えば、第１低周波アンテナ４０と第２低周波アンテナとはコイルであり、第１低周波アンテナ４０と第２低周波アンテナとが近距離でカップリングする時、第１制御回路２０は第１低周波アンテナ４０の電流変化を検知することができ、第１制御回路２０は、第１低周波アンテナ４０の電流が予め設定された閾値を超えると判断した場合、プロセッサー６０に第１制御信号を送信する。プロセッサー６０が第１制御信号を受信すると、プロセッサー６０が第３制御回路７０に第２制御信号を送信し、ＮＦＣチップ５０がオンになるように制御し、ＮＦＣチップ５０が動作開始するように制御する目的を達成する（実際の応用においては、第１低周波アンテナ４０を使用する時、第１低周波アンテナ４０に僅かな電流を供給すれば第１低周波アンテナ４０の動作を維持することができる。したがって、第１低周波アンテナ４０の消費電量はＮＦＣチップ５０より遥かに少ないため、ＮＦＣ腕時計の持久力を有効に延長することができる）。一方、ＮＦＣチップ５０の作動がオンにされると、プロセッサー６０は同時に第２制御回路３０に第３制御信号を送信し、第１低周波アンテナ４０の放電経路をオフにする、即ち、第１低周波アンテナ４０の動作を停止させ、これによって、第１低周波アンテナ４０によるＮＦＣチップ５０の動作への影響を低減することができ、第１低周波アンテナ４０によるＮＦＣ腕時計とカードリーダーとの間のＮＦＣ通信への干渉を低減でき、ＮＦＣ腕時計のＮＦＣ通通信品質を確保することができる。
【００２３】
具体的には、第１低周波アンテナ４０は直径０．１５ｍｍの銅線を巻き付けて構成されてもよく、このような構成によれば、構成が簡単であり、容易に製造され、ＮＦＣ腕時計の製造コストを低減することができる。第１低周波アンテナ４０が、表示部３とＰＣＢ板との間に設けられる。ＮＦＣアンテナ８０がフェライト材料で製造される。
【００２４】
必要に応じて、プロセッサー６０はＭＫＬ０３Ｚ８ＶＦＧ４型番のＣＰＵを採用しても良い。ＮＦＣチップ５０は、上記の型番のＣＰＵを採用することで、電池を制御し、当該型番のＣＰＵが超低消費電力のＣＰＵであり、腕時計が受信領域でない場合に、当該ＣＰＵの最小消費電力はｎＡ程度であり、作動中においてもＣＰＵが５ｍＡ程度の電流しか有しないため、ＮＦＣ腕時計の電力消費をさらに低減することができ、ＮＦＣ腕時計の持久力をさらに向上させることができる。
【００２５】
［第２実施例］
第２実施例と第１実施例との異なる点は、ＮＦＣチップ５０にアンテナ増幅器（ブースター、Ｂｏｏｓｔｅｒ）を有することである。
【００２６】
図３に示すように、ＰＣＢ板は、第１制御回路２０、第２制御回路３０、第１低周波アンテナ４０、アンテナ増幅器を有するＮＦＣチップ５０、プロセッサー６０及び第３制御回路７０を備える。電池１０は、プロセッサー６０と電気的に接続され、且つ第１制御回路２０を介して第１低周波アンテナ４０と電気的に接続される。第１低周波アンテナ４０は、第１制御回路２０と第２制御回路３０とのそれぞれを介してプロセッサー６０と電気的に接続され、プロセッサー６０は第３制御回路７０を介してＮＦＣチップ５０と電気的に接続される。ＮＦＣアンテナ８０とＮＦＣチップ５０とが電気的に接続され、ＮＦＣアンテナ８０でＮＦＣチップ５０の送信効率を向上させ、ＮＦＣ腕時計の無線通信距離を増大させることができる。
【００２７】
ＮＦＣ腕時計に対応するカードリーダーに、第１低周波アンテナ４０に対応する第２低周波アンテナが設けられ、第１低周波アンテナ４０と第２低周波アンテナとの間の距離が予め設定された距離より小さい（当該予め設定された距離が通常ＮＦＣ腕時計のＮＦＣ通信距離よりも大きくない、例えば、２０  ｃｍ又は２０  ｃｍより小さい）場合に、第１低周波アンテナ４０は、第１制御回路２０を介してプロセッサー６０に第１制御信号を送信し、プロセッサー６０は第１制御信号に従って、第３制御回路７０に第２制御信号を送信して、ＮＦＣチップ５０がオンになるように制御するとともに、第２制御回路３０に第３制御信号を送信し、第１低周波アンテナ４０の放電経路をオフになるように制御する。ＮＦＣチップ５０の動作が完了した後、ＮＦＣチップ５０は第３制御回路７０を介してプロセッサー６０に第４制御信号を送信し、プロセッサー６０は第４制御信号に従って、第２制御回路３０に第５制御信号を送信して、第１低周波アンテナ４０の放電経路をオンにする。
【００２８】
本実施例において、ＮＦＣ腕時計に設けられた第１低周波アンテナ４０と、カードリーダーに設けられた第２低周波アンテナとは互いに対応して使用され、例えば、第１低周波アンテナ４０と第２低周波アンテナとはコイルであり、第１低周波アンテナ４０と第２低周波アンテナとが近距離でカップリングする時、第１制御回路２０は第１低周波アンテナ４０の電流変化を検知することができ、第１制御回路２０は、第１低周波アンテナ４０の電流が予め設定された閾値を超えると判断する時に、プロセッサー６０は第１制御信号を送信する。プロセッサー６０が第１制御信号を受信すると、プロセッサー６０は第３制御回路７０に第２制御信号を送信して、ＮＦＣチップ５０をオンに制御し、ＮＦＣチップ５０の動作をオンに制御する目的を達成する（実際の応用においては、第１低周波アンテナ４０を使用する時、第１低周波アンテナ４０に僅かな電流を供給すれば第１低周波アンテナ４０の動作を維持することができる。したがって、第１低周波アンテナ４０の消費電量はＮＦＣチップ５０のより遥かに少ないため、ＮＦＣ腕時計の持久力を有効に延長することができる）。一方、ＮＦＣチップ５０が作動し始めると、プロセッサー６０は同時に第２制御回路３０に第３制御信号を送信し、第１低周波アンテナ４０の放電経路をオフにする、即ち、第１低周波アンテナ４０の動作を停止する、これによって、第１低周波アンテナ４０におけるＮＦＣチップ５０の動作への影響を低減するこことができ、第１低周波アンテナ４０によるＮＦＣ腕時計とカードリーダーとの間のＮＦＣ通信への干渉を低減させ、ＮＦＣ腕時計のＮＦＣ通信品質を確保することができる。
【００２９】
具体的には、第１低周波アンテナ４０は直径０．１５ｍｍの銅線を巻き付けて構成されてもよく、構成が簡単であり、容易に製造され、ＮＦＣ腕時計の製造コストを低減することができる。第１低周波アンテナ４０が、表示部３とＰＣＢ板との間に設けられる。ＮＦＣアンテナ８０がフェライト材料で製造される。
【００３０】
必要に応じて、プロセッサー６０はＭＫＬ０３Ｚ８ＶＦＧ４型番のＣＰＵを採用しても良い。ＮＦＣチップ５０は、上記の型番のＣＰＵを採用することで、電池を制御し、当該型番のＣＰＵが超低消費電力のＣＰＵであり、腕時計が受信領域でない場合に、当該ＣＰＵの最小消費電力はｎＡ程度であり、作動中においてもＣＰＵが５ｍＡ程度の電流しか有さず、これによって、ＮＦＣ腕時計の電力消費をさらに低減することができ、ＮＦＣ腕時計の持久力をさらに向上させることができる。
【００３１】
図４に示すように、ＮＦＣアンテナ８０の第１端は、順次第１抵抗器Ｒ１と第１共振コンデンサＣ１とを介してＮＦＣチップ５０の第１端に接続され、ＮＦＣアンテナ８０の第２端は、順次第２抵抗器Ｒ２と第２共振コンデンサＣ２とを介してＮＦＣチップ５０の第２端に接続される。ＮＦＣアンテナ８０の第１端は、第１抵抗器Ｒ１に接続した後に、順次第３共振コンデンサＣ３と第２抵抗器Ｒ２とを介してＮＦＣアンテナ８０の第２端に接続される。ＮＦＣアンテナ８０の第１端は、第１抵抗器Ｒ１に接続した後に、第４共振コンデンサＣ４と第２抵抗器Ｒ２とを介して、ＮＦＣアンテナ８０の第２端に接続される。ここに、第１共振コンデンサＣ１と第２共振コンデンサＣ２とＮＦＣアンテナ８０とが共振回路を構成している。第３共振コンデンサＣ３と第４共振コンデンサＣ４とは共振を同調させることができる。第１抵抗器Ｒ１と第２抵抗器Ｒ２とが共振回路のＱ値（品質係数）を調整することができる。
【００３２】
本発明に係るＮＦＣ腕時計は、ＮＦＣアンテナが金属ケースと保持架台との間に挟まれて外部に露出させる技術的な手段を採用することで、ＮＦＣアンテナへの干渉を構造的に低減させ、アンテナの受送信を最適化させた。本発明に係るＮＦＣ腕時計は、第１低周波アンテナとカードリーダーでの第２低周波アンテナとの間の距離が予め設定された距離より小さい場合、第１低周波アンテナは、第１制御回路を介して、プロセッサーに第１制御信号を送信し、プロセッサーは、第３制御回路を介して、ＮＦＣチップの動作をオンに制御するとともに、第２制御回路を介して、第１低周波アンテナの放電経路をオフにする、これによってＮＦＣ腕時計のＮＦＣ機能は常に動作する必要がなく、ＮＦＣ腕時計とカードリーダーとの間の距離が予め設定された距離より小さい場合に動作されるようになる。ＮＦＣ機能が常に作動していることによるエネルギーの損耗を効果的に低減することができ、且つ第１低周波アンテナが消費される電力が少なくなり、ＮＦＣ腕時計の持久力を効果的に向上させることができる。さらに、ＮＦＣチップが作動し始めると、第１低周波アンテナの作動が停止され、ＮＦＣ腕時計とカードリーダーとの間のＮＦＣ通信への干渉を低減することができ、ＮＦＣ腕時計のＮＦＣ通信品質を確保することができる。本発明に係るＮＦＣ腕時計は、構造が簡単であり、実用性に優れる利点を有する。
【００３３】
上記した発明を実施するための形態は、本発明の好ましい実施形態であり、本発明を限定するものではなく、本発明の趣旨又は原理内でのすべての変更、置換、改良が本発明の保護の範囲に含まれるものである。
【図１】
2019518371.tif 000003
【図２】
2019518371.tif 000004
【図３】
2019518371.tif 000005
【図４】
2019518371.tif 000006
【手続補正書】
【提出日】平成30年10月25日(2018.10.25)
【手続補正１】
【補正対象書類名】図面
【補正対象項目名】全図
【補正方法】変更
【補正の内容】
【図１】
2019518371.tif 000007
【図２】
2019518371.tif 000008
【図３】
2019518371.tif 000009
【図４】
2019518371.tif 000010
【国際調査報告】
2019518371.tif 000011
2019518371.tif 000012
2019518371.tif 000013
2019518371.tif 000014